(57)【要約】      （修正有）【課題】ユーザの使いかたや好みに合わせて、ジョブリストの設定、表示等の機能を調整することや、ユーザの業務形態に合わせたジョブリストの修正等の設定が可能な装置を提供する。【解決手段】ユーザＩＤを用いて、画像形成装置と外部端末とのユーザ認証が成立した場合に、画像形成装置は、外部端末にジョブリストを送信する。該ジョブリストを受信した外部端末では、ユーザＩＤに応じたジョブリストの表示を行うため、該ジョブリストをユーザの好みに合わせて調整された（カスタマイズ）表示画面で表示することができる。【選択図】図４
2012051376.tif 000002
【特許請求の範囲】
【請求項１】
外部端末と無線通信を行う無線通信手段を備えた装置において、
前記無線通信手段により所定の範囲内に存在する前記外部端末を検出する検出手段と、
前記検出手段により所定の範囲内に前記外部端末が検出された後に、検出された前記外部端末から送信される、当該外部端末が保持するユーザ識別情報を受信するユーザ識別情報受信手段と、
記録手段に記録されるユーザ識別情報の中から、前記ユーザ識別情報受信手段で受信した前記ユーザ識別情報と一致するユーザ識別情報を検索する検索手段と、
前記検索手段による検索の結果、一致するユーザ識別情報があった場合に、前記ユーザ識別情報受信手段により前記外部端末から受信した前記ユーザ識別情報を認証する認証手段と、
を備えたことを特徴とする装置。
【請求項２】
前記検出手段は、
前記無線通信手段により所定の範囲内に存在する前記外部端末を認識し、当該外部端末を特定する機器特定情報を入力することで検出することを特徴とする請求項１に記載の装置。
【請求項３】
前記検出手段により検出された前記外部端末に対して、前記ユーザ識別情報の送信を要求するユーザ識別情報送信要求手段を更に備え、
前記ユーザ識別情報受信手段は、前記ユーザ識別情報送信要求手段に応じて前記外部端末が送信したユーザ識別情報を受信することを特徴とする請求項１または２に記載の装置。
【請求項４】
前記認証手段により認証された前記ユーザ識別情報を送信した前記外部端末から、前記装置が備える機能の利用を要求する利用要求を受信する要求受信手段と、
前記要求受信手段により受信した前記利用要求に応じて、利用が要求された前記機能を実行する実行手段と
を備えることを特徴とする請求項１乃至３のいずれか１項に記載の装置。
【請求項５】
前記要求受信手段は、
前記認証手段により認証が成立した外部端末に対し、コピー、ファクシミリ送受信、又は、プリントの少なくとも１機能を実行するジョブのジョブリストの送信を要求する前記利用要求を受信し、
前記実行手段は、
前記認証手段により認証が成立した外部端末に対し、コピー、ファクシミリ送受信、又は、プリントの少なくとも１機能を実行するジョブのジョブリストを送信することを特徴とする請求項４に記載の装置。
【請求項６】
前記要求受信手段は、
コピー、ファクシミリ送受信、又は、プリントの少なくとも１機能を実行するジョブの実行を要求する前記利用要求を受信し、
前記実行手段は、
前記要求受信手段により受信した前記ジョブを実行することを特徴とする請求項４又は５に記載の装置。
【請求項７】
前記ジョブの実行を要求した前記外部端末に、前記実行手段によるジョブの実行が終了した旨を通知する通知手段と、
前記ジョブの実行を要求した外部端末から、前記実行手段による実行が終了したジョブの取得要求を受信するジョブ取得要求受信手段と、
前記ジョブ取得要求受信手段が受信した取得要求に応じて、前記実行手段による実行が終了したジョブを、前記ジョブの実行を要求した外部端末に送信するジョブ送信手段と、を更に備えたことを特徴とする請求項４乃至６のいずれか１項に記載の装置。
【請求項８】
前記ユーザ識別情報受信手段は、ユーザ単位、グループ単位、又は機能単位のユーザ識別情報で、前記外部端末が保持するユーザ識別情報を受信することを特徴とする請求項１乃至７のいずれか１項に記載の装置。
【請求項９】
前記無線通信手段は、通信方式としてＢｌｕｅｔｏｏｔｈ方式を用いることを特徴とする請求項１乃至８のいずれか１項に記載の装置。
【請求項１０】
外部端末と無線通信を行う無線通信手段を備えた装置における認証方法において、
前記無線通信手段により所定の範囲内に存在する前記外部端末を検出する第１のステップと、
前記第１のステップで所定の範囲内に前記外部端末が検出された後に、検出された前記外部端末から送信される、当該外部端末が保持するユーザ識別情報を受信する第２のステップと、
記録手段に記録されるユーザ識別情報の中から、前記第２のステップで受信した前記ユーザ識別情報と一致するユーザ識別情報を検索する第３のステップと、
前記第３のステップで一致するユーザ識別情報があった場合に、当該外部端末から受信した前記ユーザ識別情報を認証する第４のステップと、
を有することを特徴とする装置における認証方法。
【請求項１１】
外部端末と無線通信を行う無線通信手段を備えた装置において、
前記無線通信手段により所定の範囲内に存在する前記外部端末を検出する第１の機能と、
前記第１の機能により所定の範囲内に前記外部端末が検出された後に、検出された前記外部端末から送信される、当該外部端末が保持するユーザ識別情報を受信する第２の機能と、
記録手段に記録されるユーザ識別情報の中から、前記第２の機能で受信したユーザ識別情報と一致する前記ユーザ識別情報を検索する第３の機能と、
前記第３の機能で一致するユーザ識別情報があった場合に、当該外部端末から受信した前記ユーザ識別情報を認証する第４の機能と、
をコンピュータに実現させるための、装置における認証プログラム。
【請求項１２】
外部端末と無線通信を行う無線通信手段を備えた装置において、
前記無線通信手段により所定の範囲内に存在する前記外部端末を検出する検出手段と、  前記検出手段により所定の範囲内に前記外部端末が検出された後に、検出された前記外部端末から送信される、当該外部端末が保持する識別情報を受信する識別情報受信手段と、
記録手段に記録される識別情報の中から、前記識別情報受信手段で受信した前記識別情報と一致する前記識別情報を検索する検索手段と、
前記検索手段による検索の結果、一致する前記識別情報があった場合に、前記識別情報受信手段により前記外部端末から受信した前記識別情報を認証する認証手段と、
を備え、
前記識別情報は、
特定の前記外部端末群であることを識別するための情報であることを特徴とする装置。
【発明の詳細な説明】
【技術分野】
【０００１】
本発明は、印刷装置、ファクシミリ、スキャナ、複写機、プリンタ、複合複写機などの画像形成装置、認証方法および認証プログラムに関し、特にユーザの携帯する外部端末から送信された認証用情報に基づいて、ユーザの認証を行う画像形成装置、認証方法および認証プログラムに関する。
【背景技術】
【０００２】
印刷装置、ファクシミリ、スキャナ、複写機、プリンタ、複合複写機などの画像形成装置は、複数のユーザで該画像形成装置を共有するのが一般的である。
そのため、例えば複数のユーザが同時にジョブの起動を指定した場合には、画像形成装置は、予約コピー機能によって複数のジョブを平行して処理することが可能である。
そして、ユーザは、画像形成装置のパネル上に表示されたジョブリスト、あるいは、ＰＣなどに表示されたジョブリストを参照することによって、指定されたジョブの実行順を確認することができる。
しかしながら、ジョブリストを表示する際、ユーザによっては第三者に何のジョブを実行しているかを知られたくない、すなわちセキュリティを望むケースもある。この対策としての技術が下記特許文献１に記載されている。
【０００３】
特許文献１は、画像形成装置にジョブをロックするか否かの確認画面を表示し、確認画面で「はい」が選択された場合に、当該ジョブをロックして該当ジョブの削除や設定変更などの操作を禁止し、ジョブリスト上にロックが選択されたジョブの表示を行わないことができるとしている。
また、ロックが指定されたジョブでも、ユーザ認証によってロックが解除された場合、画像形成装置は該当ジョブの設定および変更などの操作を許可し、ジョブリスト上にロックが選択されたジョブの表示を行うことができるとしている。
【発明の概要】
【発明が解決しようとする課題】
【０００４】
しかしながら、上記特許文献１では、ユーザ認証を行う度に、ユーザはわざわざユーザＩＤとパスワードを手入力するので、ユーザ側の負担が大きくなるという問題が発生している。
また、上記特許文献１では、ユーザの使いかたや好みに合わせて、ジョブリストの設定、表示等の機能を調整すること（カスタマイズ）や、ユーザの業務形態に合わせたジョブリストの修正等の設定ができないという問題が発生している。
さらに、上記特許文献１では、ユーザ認証に係るユーザＩＤとパスワードの手入力は、不特定多数によって操作可能なので、ユーザＩＤとパスワードが第三者に知られた場合には、セキュリティとして機能しなくなるという問題がある。
【０００５】
そこで、本発明の第１の目的は、ユーザ認証を行う度に、わざわざユーザがユーザＩＤやパスワードを手入力する手間を省いて、ユーザ認証を簡易に行う画像形成装置、認証方法および認証プログラムを提供することである。
また、本発明の第２の目的は、ユーザの使いかたや好みに合わせて、ジョブリストの設定、表示等の機能を調整することや、ユーザの業務形態に合わせたジョブリストの修正等の設定が可能な外部端末を提供することである。
さらに、本発明の第３の目的は、ユーザＩＤとパスワードが第三者に知られた場合でも、ユーザＩＤとパスワードの手入力によらずに、ジョブのロック解除などを行うことができる画像形成装置、認証方法および認証プログラムを提供することである。
【課題を解決するための手段】
【０００６】
請求項１記載の発明では、外部端末と無線通信を行う無線通信手段を備えた装置において、前記無線通信手段により所定の範囲内に存在する前記外部端末を検出する検出手段と、前記検出手段により所定の範囲内に前記外部端末が検出された後に、検出された前記外部端末から送信される、当該外部端末が保持するユーザ識別情報を受信するユーザ識別情報受信手段と、記録手段に記録されるユーザ識別情報の中から、前記ユーザ識別情報受信手段で受信した前記ユーザ識別情報と一致するユーザ識別情報を検索する検索手段と、前記検索手段による検索の結果、一致するユーザ識別情報があった場合に、前記ユーザ識別情報受信手段により前記外部端末から受信した前記ユーザ識別情報を認証する認証手段と、を備えたことを特徴とする装置を提供する。
【０００７】
請求項２記載の発明では、前記検出手段は、前記無線通信手段により所定の範囲内に存在する前記外部端末を認識し、当該外部端末を特定する機器特定情報を入力することで検出することを特徴とする請求項１に記載の装置を提供する。
【０００８】
請求項３記載の発明では、前記検出手段により検出された前記外部端末に対して、前記ユーザ識別情報の送信を要求するユーザ識別情報送信要求手段を更に備え、前記ユーザ識別情報受信手段は、前記ユーザ識別情報送信要求手段に応じて前記外部端末が送信したユーザ識別情報を受信することを特徴とする請求項１または２に記載の装置を提供する。
【０００９】
請求項４記載の発明では、前記認証手段により認証された前記ユーザ識別情報を送信した前記外部端末から、前記装置が備える機能の利用を要求する利用要求を受信する要求受信手段と、前記要求受信手段により受信した前記利用要求に応じて、利用が要求された前記機能を実行する実行手段とを備えることを特徴とする請求項１乃至３のいずれか１項に記載の装置を提供する。
【００１０】
請求項５記載の発明では、前記要求受信手段は、前記認証手段により認証が成立した外部端末に対し、コピー、ファクシミリ送受信、又は、プリントの少なくとも１機能を実行するジョブのジョブリストの送信を要求する前記利用要求を受信し、前記実行手段は、前記認証手段により認証が成立した外部端末に対し、コピー、ファクシミリ送受信、又は、プリントの少なくとも１機能を実行するジョブのジョブリストを送信することを特徴とする請求項４に記載の装置を提供する。
【００１１】
請求項６記載の発明では、前記要求受信手段は、コピー、ファクシミリ送受信、又は、プリントの少なくとも１機能を実行するジョブの実行を要求する前記利用要求を受信し、前記実行手段は、前記要求受信手段により受信した前記ジョブを実行することを特徴とする請求項４又は５に記載の装置を提供する。
【００１２】
請求項７記載の発明では、前記ジョブの実行を要求した前記外部端末に、前記実行手段によるジョブの実行が終了した旨を通知する通知手段と、前記ジョブの実行を要求した外部端末から、前記実行手段による実行が終了したジョブの取得要求を受信するジョブ取得要求受信手段と、前記ジョブ取得要求受信手段が受信した取得要求に応じて、前記実行手段による実行が終了したジョブを、前記ジョブの実行を要求した外部端末に送信するジョブ送信手段と、を更に備えたことを特徴とする請求項４乃至６のいずれか１項に記載の装置を提供する。
【００１３】
請求項８記載の発明では、前記ユーザ識別情報受信手段は、ユーザ単位、グループ単位、又は機能単位のユーザ識別情報で、前記外部端末が保持するユーザ識別情報を受信することを特徴とする請求項１乃至７のいずれか１項に記載の装置を提供する。
【００１４】
請求項９記載の発明では、前記無線通信手段は、通信方式としてＢｌｕｅｔｏｏｔｈ方式を用いることを特徴とする請求項１乃至８のいずれか１項に記載の装置を提供する。
【００１５】
請求項１０記載の発明では、外部端末と無線通信を行う無線通信手段を備えた装置における認証方法において、前記無線通信手段により所定の範囲内に存在する前記外部端末を検出する第１のステップと、前記第１のステップで所定の範囲内に前記外部端末が検出された後に、検出された前記外部端末から送信される、当該外部端末が保持するユーザ識別情報を受信する第２のステップと、記録手段に記録されるユーザ識別情報の中から、前記第２のステップで受信した前記ユーザ識別情報と一致するユーザ識別情報を検索する第３のステップと、前記第３のステップで一致するユーザ識別情報があった場合に、当該外部端末から受信した前記ユーザ識別情報を認証する第４のステップと、を有することを特徴とする装置における認証方法を提供する。
請求項１１記載の発明では、外部端末と無線通信を行う無線通信手段を備えた装置において、前記無線通信手段により所定の範囲内に存在する前記外部端末を検出する第１の機能と、前記第１の機能により所定の範囲内に前記外部端末が検出された後に、検出された前記外部端末から送信される、当該外部端末が保持するユーザ識別情報を受信する第２の機能と、記録手段に記録されるユーザ識別情報の中から、前記第２の機能で受信したユーザ識別情報と一致する前記ユーザ識別情報を検索する第３の機能と、前記第３の機能で一致するユーザ識別情報があった場合に、当該外部端末から受信した前記ユーザ識別情報を認証する第４の機能と、をコンピュータに実現させるための、装置における認証プログラムを提供する。
請求項１２記載の発明では、外部端末と無線通信を行う無線通信手段を備えた装置において、前記無線通信手段により所定の範囲内に存在する前記外部端末を検出する検出手段と、前記検出手段により所定の範囲内に前記外部端末が検出された後に、検出された前記外部端末から送信される、当該外部端末が保持する識別情報を受信する識別情報受信手段と、記録手段に記録される識別情報の中から、前記識別情報受信手段で受信した前記識別情報と一致する前記識別情報を検索する検索手段と、前記検索手段による検索の結果、一致する前記識別情報があった場合に、前記識別情報受信手段により前記外部端末から受信した前記識別情報を認証する認証手段と、を備え、前記識別情報は、特定の前記外部端末群であることを識別するための情報であることを特徴とする装置を提供する。
【発明の効果】
【００１６】
本発明では、画像形成装置が外部端末からユーザＩＤを受信し、該ユーザＩＤと登録されたユーザＩＤから一致するユーザＩＤの検索を行い、一致するユーザＩＤがある場合に、ユーザ認証が成立する。
これにより、ユーザの認証を行う度に、わざわざユーザがユーザＩＤやパスワードを手入力する手間を省いて、ユーザ認証を簡易に行うことができる。
【図面の簡単な説明】
【００１７】
【図１】画像形成装置の一実施形態である複合機の主要な構成を示すブロック図である。
【図２】外部端末の一実施形態である携帯電話の主要な構成を示すブロック図である。
【図３】本実施形態におけるユーザ認証までの処理の過程を示したフローチャートである。
【図４】ユーザ認証が成立した複合機と携帯電話におけるジョブリストの送受信と、完了した印刷ジョブの通知までの処理の過程を示したフローチャートである。
【発明を実施するための形態】
【００１８】
（１）発明の実施の概要
ユーザＩＤを用いて、画像形成装置と外部端末とのユーザ認証が成立した場合に、画像形成装置は、外部端末にジョブリストを送信する。
該ジョブリストを受信した外部端末では、ユーザＩＤに応じたジョブリストの表示を行うため、該ジョブリストをユーザの好みに合わせて調整された（カスタマイズ）表示画面で表示することができる。
また、外部端末でジョブのロック解除が指定された場合には、画像形成装置はロック解除が指定されたジョブの削除や、設定変更などの操作を許可し、該ロック解除が指定されたジョブに対してロック解除を行う。
【００１９】
（２）発明の実施の詳細
以下、本発明の好適な実施の形態について、図１および図４を参照して詳細に説明する。まず、図１は、画像形成装置の一実施形態である複合機の主要な構成を示すブロック図である。
複合機１は、図１に示すように、プロッタ４と、スキャナ５と、ユーザＩＤ管理部３と、ＲＯＭ１１と、ＣＰＵ１０と、ＲＡＭ１４と、ＮＶＲＡＭ１２と、操作ボード１５と、ジョブ管理部１６と、通信制御部１７と、符号化・復号部９と、ＮＣＵ１８と、モデム１９と、Ｂｌｕｅｔｏｏｔｈモジュール２０を備えている。
スキャナ５は、文字や図形などが記載された原稿の画像情報をセンサ５ａで読み取って電気信号に変換し、画像データを出力する画像読み取り手段である。
スキャナ５は、読み取られたイメージデータを２値化して、生データとし、原稿読取時の縮小、拡大などの変倍処理や線密度変換などの処理を行う。
【００２０】
プロッタ４は、受信した画像データや受信結果を表す画像情報（例えば、送信元の電話番号、受信時刻などの情報）を入力して、用紙に画像を形成し、印刷するための機構を備えたユニットで構成されている。
このプロッタ４は、例えば、電子写真方式、インクジェット方式、トナージェット方式など、用紙に画像イメージを記録できるもので良い。
プロッタ４は、用紙センサ４ａから入力する信号に従い作動して、ＣＰＵ１０にて書き込みが指示された画像データの画像ファイルをページ毎に（原稿一枚ごとに）受け取り、所定の用紙に該画像データを印字出力する。
【００２１】
操作ボード１５は、所定のテンキーおよび文字入力キーを備えたメカニカルキーやタッチパネルキーなどからなる操作キーを有し、バスライン２１を介してＣＰＵ１０とのデータのやり取りを行い、画像データの送信に必要な操作（例えば、相手先の電話番号の入力やスタート／ストップなど）や送受信の状況確認など、複合機１の使用に必要な情報をその操作キーから入力する。
また、操作ボード１５は、ＬＥＤ表示装置と、操作キーから操作入力される情報や、現在の動作状態、および時刻などを表示する液晶ディスプレイ（ＬＣＤ）などの表示装置を有している。
ユーザは、液晶ディスプレイ（ＬＣＤ）に表示されたジョブリスト、あるいは、ＰＣなどに表示されたジョブリストを参照することによって、指定されたジョブの実行順を確認することができる。
【００２２】
操作ボード１５の表示部にはジョブリストが表示され、該表示されたジョブリストのジョブをユーザが選択することによって、該ジョブに対してロックを指定することできる。
ロック指定されたジョブは、プロッタ４での印字出力を中止することができる。
ユーザＩＤ管理部３は、携帯電話の所有者を表すユーザＩＤおよび、該ユーザＩＤに対応するパスワードが登録されており、登録は操作ボード１５から行うことが可能である。
【００２３】
ＲＡＭ（Ｒａｎｄｏｍ  Ａｃｃｅｓｓ  Ｍｅｍｏｒｙ）１４は、受信した画像データおよびスキャナ５が原稿を読み取って出力する画像データを一時的に記憶し、複数の受信データが管理され蓄積されている。
ＲＡＭ１４には、例えば、磁気ディスク装置が利用されるが、その他にもカードスロットに挿入されるメモリーカードでも良い。
【００２４】
通信制御部１７は、ＣＰＵ１０から指示を受けてＮＣＵ（Ｎｅｔｗｏｒｋ  Ｃｏｎｔｒｏｌ  Ｕｎｉｔ）１８を制御し、加入電話回線ＰＳＴＮ網と接続して、相手側通信端末とのファクシミリ送受信を行う際の通信を制御する。
また、通信制御部１７は、モデム１９により相手側通信端末からの受信データ（変調されている）を復調し、送信データを変調する。
さらにＮＣＵ１８にて検出されたリンギンズ電圧のパルス検出や、ＤＴＭＦ信号の検出とともに、トーン信号を検出して、送信時の発呼を行う。
【００２５】
符号化・復号部９は、ＭＨ方式（Ｍｏｄｉｆｉｅｄ  Ｈｕｆｆｍａｎ  Ｃｏｄｉｎｇ）などの既知の符号化方式により、送信する画像データを圧縮加工する。
そして、受信した画像データは、復号化して元のデータを再生（復元）する。
該再生されたデータをプロッタ４で印字出力する処理は、ジョブ管理部１６でジョブとして管理される。
【００２６】
ＣＰＵ（Ｃｅｎｔｒａｌ  Ｐｒｏｃｅｓｓｉｎｇ  Ｕｎｉｔ）１０は、複合機１全体の動作を制御するユニットであって、ＲＯＭ１１に記憶されているプログラムに従って処理を実行し、各構成部を制御する。ＲＯＭ１１（Ｒｅａｄ  Ｏｎｌｙ  Ｍｅｍｏｒｙ）には、複合機１の基本プログラム、および後述する本発明の特徴とする各機能を実現するプログラムが格納されている。
また、ＣＰＵ１０は、スキャナ５で読み取った画像データや、通信制御部で受信したファクシミリの画像データなどを、ジョブ管理部１６に転送する。
【００２７】
ＮＣＵ１８は、一般公衆網（ＰＳＴＮ）の接続および回線の閉結を管理し、呼び出し信号（リンギング）を検出する。
モデム１９は、画像データの変調、または復調し伝送するとともに、伝送制御のための各種手順信号を伝送する。
Ｂｌｕｅｔｏｏｔｈモジュール２０は、Ｂｌｕｅｔｏｏｔｈ機能に従い作動して、複合機１の外部に配置される携帯電話５０を認識し、それを特定するための機器特定情報を通信制御部１７に入力する。
ここでＢｌｕｅｔｏｏｔｈ機能とは、Ｂｌｕｅｔｏｏｔｈ（携帯電話、ＰＤＡ：Ｐｅｒｓｏｎａｌ  Ｄｉｇｉｔａｌ  Ａｓｓｉｓｔａｎｔｓなどの携帯電話同士をケーブルを用いず、近距離無線で接続するための通信規格）に従い、近距離に配置される携帯電話と通信を行う機能をいう。
【００２８】
Ｂｌｕｅｔｏｏｔｈ方式の通信は、２．４ＧＨｚ声帯を用いた無線伝送方式で、その通信エリアは、送信出力のクラスにより異なるが、約１０ｍ〜１００ｍである。
なお、本実施形態において、Ｂｌｕｅｔｏｏｔｈモジュール２０は、半径約１０ｍの通信エリア（以下ピコネットエリアという）内の携帯電話５０との間で通信可能となっている。
また、ピコネットエリアを狭く設定することによって、ユーザが近くにいることの証明となり、ユーザ認証によって印刷物の取り忘れ防止を行うことができる。
【００２９】
また、Ｂｌｕｅｔｏｏｔｈ方式の通信では、通信開始時において、ユーザを識別する識別子（以下ユーザＩＤという）を用いて、接続認証が行われる仕組みとなっている。
Ｂｌｕｅｔｏｏｔｈ通信を行う２機器間では、該ユーザＩＤをペアとして登録されており、管理するようにしている。ここで、該ユーザＩＤには、ユーザを識別することができる識別子であれば、何でも使用することができ、ユーザ単位、グループ単位、あるいは使用する機器のアプリケーション単位で登録させることも可能である。例えば、ベンダー情報を用いてユーザをグループ単位で登録し、まとまったグループ単位で管理することができる。
複合機１において、ユーザＩＤはユーザＩＤ管理部３に登録することができる。このように、Ｂｌｕｅｔｏｏｔｈ方式の通信で該登録されたユーザＩＤを活用することによって、誤接続防止や盗聴防止などのセキュリティ向上が図られる。
【００３０】
ジョブ管理部１６は、ＣＰＵ１０で転送されたジョブに対して、ジョブ番号、転送された時刻などを付与し、取得したジョブを管理する。
また、ジョブ管理部１６は図示しない複合機１に接続されたパソコンなどからコピー、プリンタなどの印刷要求を管理することもでき、例えば、複数のユーザが同時にジョブの起動を指定した場合には、ジョブ管理部１６は、予約コピー機能などによって複数のジョブを平行して管理することが可能である。
これら複合機１の各構成要素は、バスライン２１を介して接続しており、ＣＰＵ１０によって必要な構成要素が制御される。
【００３１】
図２は、外部端末の一実施形態である携帯電話５０の主要な構成を示すブロック図である。
図２において、携帯電話５０は、ＣＰＵ１０１、ＲＯＭ１０２、ＲＡＭ１０３、ディスプレイ１０４、入力キー１０５、マイク１０６、スピーカー１０７、移動通信インターフェイス１０９、Ｂｌｕｅｔｏｏｔｈモジュール１１０およびバスライン１１１を備えている。
【００３２】
ＣＰＵ１０１は、制御と演算の各種処理を行い、ＲＯＭ１０２は、各種プログラムを実行し、ＲＡＭ１０３は、作業領域に一時的にデータを格納する。
ディスプレイ１０４は、各種表示を行うため、例えば、Ｂｌｕｅｔｏｏｔｈモジュール１１０で複合機１から受信したジョブリストを表示する。
入力キー１０５は、各種入力を行うための数字キーなどによって構成され、ディスプレイ１０４に表示されたジョブリストを選択し、ロックの解除指示などを行うことができる。
マイク１０６は、音声を入力するために使用され、スピーカ１０７は音声を出力する。
移動通信インターフェイス１０９は、所定の周波数帯の電話を用いて移動通信網に接続し、他の携帯電話と通話などの移動通信を行うためのインターフェイスである。
Ｂｌｕｅｔｏｏｔｈモジュール１１０は、Ｂｌｕｅｔｏｏｔｈ機能に従い作動して、携帯電話５０の外部に配置される複合機１を認識し、各種情報の通信を行う。
【００３３】
上記各部は、信号をやり取りするためのバスライン１１１で相互に接続されており、ＣＰＵ１０１は、携帯電話５０全体の動作を制御するユニットであって、ＲＯＭ１０２に記憶されているプログラムに従って処理を実行し、各構成部を制御する。
また、ＲＡＭ１０３には、携帯電話５０の所有者を表すユーザＩＤやパスワードが登録されている。
そして、ＲＡＭ１０３には、キャッシュメモリ１１２が内蔵されており、キャッシュメモリ１１２にユーザＩＤ、パスワードが格納された場合には、ＣＰＵ１１０はユーザＩＤ、パスワードをキャッシュメモリ１１２から速やかに取得することができる。
【００３４】
なお本実施形態では、携帯電話５０の所有するユーザ毎に、アプリケーションを個別に設定可能であり、ディスプレイ１０４には、ユーザの使い方や好みに合わせて、ジョブリストの表示等の機能を調整すること（カスタマイズ）が可能である。
例えば、ディスプレイ１０４のジョブリストが表示された場合には、ユーザは、ジョブリストを参照することによって、ジョブの実行順を確認することができる。
【００３５】
なお、本実施形態では、近距離通信をＢｌｕｅｔｏｏｔｈ方式による近距離通信とするが、これに限らず、ＩＥＥＥ８０２．１１、ＨｏｍｅＲＦ、ＩｒＤＡなどの近距離通信規格も適宜使用可能である。
【００３６】
図３は、本実施形態におけるユーザ認証までの処理の過程を示したフローチャートである。
まず、複合機１および携帯電話５０は、電源投入に伴い、Ｂｌｕｅｔｏｏｔｈモジュール２０、１１０の起動を行う（ステップ３０１、ステップ３０３）。
ユーザが所有する携帯電話５０が複合機１のピコネットエリア内に入ることによって、Ｂｌｕｅｔｏｏｔｈモジュール２０が携帯電話５０を検出する。
複合機１は、該検出された携帯電話５０の所有するユーザを識別するためのコード（以下ユーザＩＤという）の送信要求を送信する（ステップ３０５）。
該ユーザＩＤ送信要求を受信した携帯電話５０は、ＲＡＭ１０３に保持されたユーザＩＤをＢｌｕｅｔｏｏｔｈモジュール１１０で送信する（ステップ３０７）。
【００３７】
該ユーザＩＤを受信した複合機１は、ユーザＩＤ管理部３を検索し、該受信したユーザＩＤと一致するユーザＩＤを検索する（ステップ３０９）。
そして、ユーザＩＤが一致する場合に（ステップ３０９；Ｙ）、複合機１は携帯電話５０のユーザ認証が成立したとみなし（ステップ３１１）、ユーザ認証が成立した旨を携帯電話５０に通知する（ステップ３１３）。
携帯電話５０は、ユーザＩＤが成立した旨の通知を受信し（ステップ３１５）、ユーザ認証が成立した旨の通知をディスプレイ１０４に表示する（ステップ３１７）。
【００３８】
このように、携帯電話５０と複合機１は、Ｂｌｕｅｔｏｏｔｈ通信でユーザＩＤの通信を行うことにより、携帯電話５０の所有者であるユーザの認証を簡易に行うことが可能である。
【００３９】
なお、本実施形態では、ステップ３０７、３０８におけるユーザＩＤの送受信の際に、パスワードも送受信することでユーザ認証のセキュリティを更に高めること可能である。
【００４０】
なお、携帯電話５０は、ステップ３１５においてユーザ認証成立通知を受信した場合に、該ユーザＩＤをＲＡＭ１０３からキャッシュメモリ１１２に転送することもできる。
これにより、今後は携帯電話５０が複合機１のピコネットエリア内に入る度にユーザ認証をその都度行うことなく、簡易にかつ高速にユーザ認証を行うことができる。
【００４１】
図４は、ユーザ認証が成立した複合機１と携帯電話５０におけるジョブリストの送受信と、完了した印刷ジョブの通知までの処理の過程を示したフローチャートである。
図４の複合機１と携帯電話５０は、図３においてユーザ認証が成立した複合機１と携帯電話５０である。
携帯電話５０の入力キー１０５から、ジョブリストの送信要求が入力されると（ステップ４０１）、携帯電話５０は複合機１にＢｌｕｅｔｏｏｔｈモジュール１１０よりジョブリスト送信要求を通知する（ステップ４０２）。
【００４２】
ジョブリスト送信要求をＢｌｕｅｔｏｏｔｈモジュール１１０より受信した複合機１は（ステップ４０３）、該当するジョブリストをジョブ管理部１６より検索し、Ｂｌｕｅｔｏｏｔｈモジュール２０より、ジョブリストの送信を行う（ステップ４０４）。
携帯電話５０では、Ｂｌｕｅｔｏｏｔｈモジュール１１０よりジョブリストを受信し、ディスプレイ１０４に表示する（ステップ４０５）。ステップ４０５におけるジョブリストの表示は、ＲＡＭ１４に登録されたユーザＩＤに応じて、設定を調整（カスタマイズ）することが可能である。
【００４３】
次に、携帯電話５０のディスプレイ１０４上に表示されたジョブリストからユーザが印刷したいジョブを入力キー１０５から指定する（ステップ４０７）。
指定された印刷ジョブは、携帯電話５０よりＢｌｕｅｔｏｏｔｈモジュール１１０より送信され（ステップ４０９）、該指定された印刷ジョブをＢｌｕｅｔｏｏｔｈモジュール２０から受信した複合機１は、該指定されたジョブに対して、ロック指定がされている場合に（ステップ４１０；Ｙ）、ジョブ管理部１６に格納された印刷ジョブのロック解除を行う（ステップ４１１）。そして、複合機１はロックが解除されたジョブに対して印刷を行う（ステップ４１２）。
【００４４】
印刷終了後、複合機１は携帯電話５０に対して印刷の終了した旨の通知を行い（ステップ４１３）、該通知を受信した携帯電話５０では（ステップ４１５）、印刷の完了したジョブの取得要求を行う（ステップ４１７）。
該印刷の完了したジョブの取得要求を受信した複合機１は（ステップ４１９）、印刷の終了したジョブを携帯電話５０に送信する（ステップ４２１）。
印刷の終了したジョブの情報を受信した携帯電話５０は（ステップ４２３）、印刷の終了したジョブの情報をディスプレイ１０４に表示し、ユーザに対して、印刷が完了したジョブの通知を行う（ステップ４２５）。
【００４５】
本実施形態では、複合機１は携帯電話５０にジョブリストを送信し、印刷指定されたジョブリストのロック解除などを行うことによって、印刷ジョブの操作を行うことができる。
そして、携帯電話５０では、ジョブリストの設定、表示等の機能をユーザの使いかたや好みに合わせて、調整すること（カスタマイズ）や、ユーザの業務形態に合わせたジョブリストの修正等の設定を行うことができる。
【００４６】
なお、本実施形態では、ユーザＩＤとしてベンダー情報を用い、一括でユーザを認識するようにしても良い。このようにベンダー情報を用いることによって、特定の携帯電話群とのみ接続を行い、セキュリティを向上することができる。
【００４７】
なお、本実施形態では、複合機１は、ステップ４１３、４２１で印刷完了通知および完了した印刷ジョブの送信をインターネットを経由して、Ｅメールなどでユーザの所有するパソコンに送信することも可能である。
【００４８】
なお、本発明の画像形成装置は複合機に限らず、例えば、ファクシミリ装置やプリンタ装置、スキャナ装置などにも適用することも可能である。
また、本発明の外部端末は携帯電話に限らず、ユーザが個別に携帯可能な電子機器であれば多様な装置に適用可能である。
【符号の説明】
【００４９】
１  複合機
３  ユーザＩＤ管理部
４  プロッタ
４ａ  用紙センサ
５  スキャナ
５ａ  センサ
９  符号化復号化部
１０  ＣＰＵ
１１  ＲＯＭ
１２  ＮＶＲＡＭ
１４  ＲＡＭ
１５  操作ボード
１６  ジョブ管理部
１７  通信制御部
１８  ＮＣＵ
１９  モデム
２０  Ｂｌｕｅｔｏｏｔｈモジュール
２１  バスライン
５０  携帯電話
１０１  ＣＰＵ
１０２  ＲＯＭ
１０３  ＲＡＭ
１０４  ディスプレイ
１０５  入力キー
１０６  マイク
１０７  スピーカ
１０９  移動通信インターフェイス
１１０  Ｂｌｕｅｔｏｏｔｈモジュール
１１１  バスライン
【先行技術文献】
【特許文献】
【００５０】
【特許文献１】特開２００５−６７０７２号公報
【図１】
2012051376.tif 000003
【図２】
2012051376.tif 000004
【図３】
2012051376.tif 000005
【図４】
2012051376.tif 000006